(57)【要約】【課題】この発明は、蹴る力が弱い人及び健康な人の歩行をアシストする際に用いられる履物用板バネの提供を目的とする。【解決手段】履物用板バネ１を、履物Ａの踵部Ａａ側上方に開口された開口部Ａｃから挿入し、バネ体２の平坦に形成された上面中央部が上向きとなるようにして履物Ａ内の踵部Ａａ上面に取り付ける。歩行時において、履物用板バネ１に人の体重が付加された際に、履物用板バネ１が変形して、人の足Ｂの踵部Ｂａに付加される衝撃を緩和する。また、人の体重が踵側から爪先側へ移動する際に、履物用板バネ１に蓄積された復元力によって、蹴り足側の踵部Ｂａが上方へ押し上げられるので、老人や病人等の蹴る力が弱い人及び健康な人の歩行がアシストされる。【選択図】図３
2011036394.tif 000002
【特許請求の範囲】
【請求項１】
履物内の踵部上面に取り付けられる板状のバネ体を、該踵部上面と略対応する大きさ及び形状に形成し、
前記バネ体を、該バネ体の上面に載置される足の踵部が上方に向けて押し上げられる方向に復元力が蓄積される形状に形成した
履物用板バネ。
【請求項２】
前記履物の踵部側と対応する前記バネ体の後端を、該履物内の踵部側の上面と対向して後側斜め下方に向けて折り曲げ、
前記履物の爪先側と対応する前記バネ体の前端を、該履物内の土踏まず部側の上面と対向して前側斜め下方に向けて折り曲げた
請求項１に記載の履物用板バネ。
【請求項３】
前記バネ体の前記履物の爪先側と対応する前端に、該履物内の土踏まず部側の上面に押し付けられる支持片を連設した
請求項１又は２に記載の履物用板バネ。
【請求項４】
前記バネ体の前記履物の爪先側と対応する前端に、該履物内の土踏まず部側の上面に押し付けられる支持片を連設し、
前記バネ体の前記履物の踵部側と対応する後端に、該踵部の上面に押し付けられる支持片を連設した
請求項１又は２に記載の履物用板バネ。
【請求項５】
前記バネ体の周縁部を、前記履物内の踵部側の上面と対向して該バネ体の外側斜め下方に向けて徐々に広くなるように折り曲げた
請求項１に記載の履物用板バネ。
【請求項６】
前記バネ体の周縁部に、該バネ体の上面側から下面側に向けて溝部を形成するとともに、該溝部をバネ体の周縁部に沿って周方向に対し等間隔に隔てて複数配列した
請求項５に記載の履物用板バネ。
【請求項７】
前記周縁部の端部に、前記履物内の踵部側の上面に押し付けられる支持片を連設した
請求項５又は６に記載の履物用板バネ。
【請求項８】
前記バネ体の端部に連設された支持片の下面に、該支持片が押し付けられる面に対し接触抵抗を付与する接触抵抗付与部を設けた
請求項１〜７のいずれか一つに記載の履物用板バネ。
【請求項９】
前記バネ体の前記足の裏の踵部が載置される上面が滑らかな凹状又は凸状に形成された
請求項１〜８のいずれか一つに記載の履物用板バネ。
【請求項１０】
前記バネ体の前記足の裏の踵部が載置される上面に、該バネ体の厚み方向に貫通して孔部が形成された
請求項１〜９のいずれか一つに記載の履物用板バネ。
【請求項１１】
前記バネ体が、側面から見て踵側から爪先側に向けて徐々に低くなる形状に形成された
請求項１〜１０のいずれか一つに記載の履物用板バネ。
【請求項１２】
前記バネ体の前記踵部側と対応する後端が、該踵部の後側内壁面に沿う曲面形状に形成された
請求項１〜１１のいずれか一つに記載の履物用板バネ。
【発明の詳細な説明】
【技術分野】
【０００１】
この発明は、例えば老人や病人等の蹴る力が弱い人及び健康な人の歩行をアシストする際に用いられる履物用板バネに関する。
【背景技術】
【０００２】
従来、前記板バネが取り付けられた履物としては、例えば矩形の板バネが履物の踵部に埋め込まれた特許文献１の履物踵當と、コイルスプリング或いは板バネが履物の踵部に埋め込まれた特許文献２のバネ敷皮を有する靴がある。しかし、前記文献の板バネ及びコイルスプリングは、履物の踵部に埋め込まれているので、使用する人の体重に応じて、適宜復元力を有するバネに交換することが不可能である。また、歩行時に付与されるバネの復元力が常時一定しているため、人の体重に応じたアシスト力が得られない。また、バネによるアシストが不要であっても、履物の踵部から板バネ及びコイルスプリングを取り除くことが困難であり、履物の用途が、歩行のアシストのみに限定されてしまう。
【先行技術文献】
【特許文献】
【０００３】
【特許文献１】実公昭１１−１１８０号公報
【特許文献２】実開昭６３−１９３０４号公報
【発明の概要】
【発明が解決しようとする課題】
【０００４】
この発明は、蹴る力が弱い人及び健康な人の歩行をアシストすることができる履物用板バネを提供することを目的とする。
【課題を解決するための手段】
【０００５】
この発明は、履物内の踵部上面に取り付けられる板状のバネ体を、該踵部上面と略対応する大きさ及び形状に形成し、前記バネ体を、該バネ体の上面に載置される足の踵部が上方に向けて押し上げられる方向に復元力が蓄積される形状に形成した履物用板バネであることを特徴とする。
【０００６】
この発明の態様として、記履物の踵部側と対応する前記バネ体の後端を、該履物内の踵部側の上面と対向して後側斜め下方に向けて折り曲げ、前記履物の爪先側と対応する前記バネ体の前端を、該履物内の土踏まず部側の上面と対向して前側斜め下方に向けて折り曲げることができる。
【０００７】
また、この発明の態様として、前記バネ体の前記履物の爪先側と対応する前端に、該履物内の土踏まず部側の上面に押し付けられる支持片を連設することができる。
【０００８】
また、この発明の態様として、前記バネ体の前記履物の爪先側と対応する前端に、該履物内の土踏まず部側の上面に押し付けられる支持片を連設し、前記バネ体の前記履物の踵部側と対応する後端に、該踵部の上面に押し付けられる支持片を連設することができる。
【０００９】
また、この発明の態様として、前記バネ体の周縁部を、前記履物内の踵部側の上面と対向して該バネ体の外側斜め下方に向けて徐々に広くなるように折り曲げることができる。
【００１０】
また、この発明の態様として、前記バネ体の周縁部に、該バネ体の上面側から下面側に向けて溝部を形成するとともに、該溝部をバネ体の周縁部に沿って周方向に対し等間隔に隔てて複数配列することができる。
【００１１】
また、この発明の態様として、前記周縁部の端部に、前記履物内の踵部側の上面に押し付けられる支持片を連設することができる。
【００１２】
また、この発明の態様として、前記バネ体の端部に連設された支持片の下面に、該支持片が押し付けられる面に対し接触抵抗を付与する接触抵抗付与部を設けることができる。
【００１３】
また、この発明の態様として、前記バネ体の前記足の裏の踵部が載置される上面が滑らかな凹状又は凸状に形成することができる。
【００１４】
また、この発明の態様として、前記バネ体の前記足の裏の踵部が載置される上面に、該バネ体の厚み方向に貫通して孔部を形成することができる。
【００１５】
また、この発明の態様として、前記バネ体を、側面から見て踵側から爪先側に向けて徐々に低くなる形状に形成することができる。
【００１６】
また、この発明の態様として、前記バネ体の前記踵部側と対応する後端を、該踵部の後側内壁面に沿う曲面形状に形成することができる。
【００１７】
前記履物用板バネは、例えばベーナイト鋼、バネ鋼、リボン綱等の鋼材で構成することができる。
【００１８】
また、履物用板バネの板厚は、例えば約０．３ｍｍ〜約１ｍｍの範囲に含まれる板厚に形成することができる。なお、人の体重に応じて、約０．３ｍｍ以下或いは約１ｍｍ以上の厚みに形成された板バネを用いてもよい。
【００１９】
接触抵抗付与部は、例えばシート状の粘着体、両面粘着テープ、面ファスナー、マグネット、或いは、突起、係止爪、係止片、或いは、平目や綾目からなるローレット等で構成することができる。
【００２０】
被覆部材は、例えば短繊維からなる起毛を静電気植毛するか、或いは、プラスチック、不織布、布地、皮革などを被覆するか、或いは、塗料を塗布するか、金属を鍍金或いは蒸着するか、金属箔を貼り付ける等して構成することができる。
【発明の効果】
【００２１】
この発明によれば、履物内の踵部上面に履物用板バネを取り付ければ、歩行時において、履物用板バネに蓄積される復元力によって、蹴り足側の踵部が上方へ押し上げられることになり、老人や病人等の蹴る力が弱い人及び健康な人の歩行をアシストすることができる。これにより、歩行時における体重移動がスムースに行えるとともに、足に付加される負担が軽減されるので、快適な歩行が楽しめる。また、人の体重に応じて、歩行をアシストするのに適した復元力を有する履物用板バネに即交換することができる。
【図面の簡単な説明】
【００２２】
【図１】履物用板バネの取り付け状態を示す履物の縦断側面図。
【図２】図１の履物用板バネの外観形状を示す斜視図。
【図３】図１の履物用板バネの変形状態を示す踵側拡大縦断側面図。
【図４】履物用板バネの上に中敷が敷設された状態を示す履物の縦断側面図。
【図５】バネ体の前端に支持片が連設された他の例の履物用板バネの取り付け状態を示す履物の縦断側面図。
【図６】図５の履物用板バネの外観形状を示す斜視図。
【図７】図５の履物用板バネの変形状態を示す踵側拡大縦断側面図。
【図８】支持片に突起が設けられた他の例の履物用板バネの外観形状を示す斜視図。
【図９】凹状又は凸状の踵載せ部を有する他の例の履物用板バネを示す斜視図。
【図１０】丸形状又は楕円形状の孔部を有する他の例の履物用板バネを示す斜視図。
【図１１】波形状又はＳ字状のバネ部を有する他の例の履物用板バネを示す斜視図。
【図１２】弾性体を備えた他の例の履物用板バネを示す踵側拡大縦断側面図。
【図１３】踵側から爪先側に向けて低くなる形状に形成された他の例の履物用板バネを示す踵側拡大縦断側面図。
【図１４】バネ体の後端が踵部の後側内壁面に沿う形状に形成された他の例の履物用板バネを示す斜視図である。
【図１５】バネ体の前後端に支持片が連設された他の例の履物用板バネの取り付け状態を示す履物の縦断側面図。
【図１６】図１５の履物用板バネの外観形状を示す斜視図。
【図１７】図１５の履物用板バネの変形状態を示す踵側拡大縦断側面図。
【図１８】支持片の折り曲げ長さ及び折り曲げ方向の他の例を示す斜視図。
【図１９】支持片の折り曲げ方向の他の例を示す斜視図。
【図２０】バネ体上面が起毛で覆われた他の例の履物用板バネを示す斜視図。
【図２１】バネ体の周縁部が外側斜め下方に向けて折り曲げられた他の例の履物用板バネの外観形状を示す斜視図。
【図２２】図２１の履物用板バネの外観形状を示す平面図。
【図２３】図２２の履物用板バネのＡ−Ａ線矢視断面図（Ｘ）及びＢ−Ｂ線矢視断面図（Ｙ）。
【発明を実施するための形態】
【実施例】
【００２３】
図１は、履物用板バネ１の取り付け状態を示す履物Ａの縦断側面図、図２は、図１の履物用板バネ１の外観形状を示す斜視図、図３は、図１の履物用板バネ１の変形状態を示す踵側拡大縦断側面図である。
【００２４】
実施例の履物用板バネ１は、履物Ａ内の踵部Ａａ上面に対し足Ｂの裏の踵部Ｂａと対向して取り付けられる。歩行時において、履物用板バネ１に蓄積された復元力によって、蹴り足側の踵部Ｂａを上方へ押し上げ、老人や病人等の蹴る力が弱い人の歩行をアシストするものである。
【００２５】
履物用板バネ１は、履物Ａ内の踵部Ａａ上面と略対応する大きさ及び形状に形成された板状のバネ体２を、側面から見て略台形に折り曲げ加工したものである。
【００２６】
バネ体２は、例えば約０．３ｍｍ〜約１ｍｍの範囲に含まれる板厚のベーナイト鋼を、図示しない打ち抜き機で打ち抜くか、レーザー切断機で切断する等して、平面から見て略矩形状に加工され、履物Ａ内の踵部Ａａ上面に対し接地が許容される大きさ及び形状に形成されている。なお、ベーナイト鋼の代わりに、例えばバネ鋼、リボン綱等を用いてもよい。
【００２７】
実施例において、バネ体２は、０．６ｍｍ〜０．８ｍｍの範囲内である板厚のベーナイト鋼で形成されている。また、平坦に形成された中央部の長さｗ１は６４ｍｍに形成され、横幅ｗ２は５０ｍｍに形成され、バネ体２の後端２ａ及び前端２ｂの長さｗ３は１０ｍｍに形成され、中央部と接地面との間の高さｈは６ｍｍ又は８ｍｍに形成されている。なお、前記各部の寸法は、履物Ａのサイズに応じて変更してもよい。
【００２８】
履物Ａの踵部Ａａ側と対応するバネ体２の後端２ａは、後側斜め下方に向けて折り曲げられ、踵部Ａａの後側内壁面に近接して接地される。
【００２９】
履物Ａの爪先側と対応するバネ体２の前端２ｂは、前側斜め下方に向けて斜めに折り曲げられており、履物Ａ内の土踏まず部Ａｂ側の上面に接地される。これにより、復元力が効率よく発揮される
【００３０】
つまり、バネ体２は、該バネ体２の上面に載置される足Ｂの裏の踵部Ｂａが上方に向けて押し上げられる方向に復元力が蓄積される形状に形成されている。
【００３１】
例えば約０．３ｍｍ〜約０．６ｍｍの板厚に形成された薄いバネ体２は、変形時に蓄積される復元力が小さく、体重の軽い人が使用するのに適している。
【００３２】
また、例えば約０．７ｍｍ〜約１ｍｍの板厚に形成された厚いバネ体２は、変形時に蓄積される復元力が大きく、体重の重い人が使用するのに適している。
【００３３】
なお、バネ体２の板厚は、人の体重に応じて、約０．３ｍｍ以下或いは約１ｍｍ以上の厚みに変更してもよい。  
実施例の履物用板バネ１は、兼用型であるが、例えば紳士、婦人、子供等の人が装着する履物Ａのサイズに対応して、複数種の履物用板バネ１を予め製作しておいてもよい。
【００３４】
次に、前記履物用板バネ１を、靴型を有する履物Ａ内の踵部Ａａ上面に取り付けた際の作用及び効果を説明する。
【００３５】
先ず、図１、図３に示すように、履物用板バネ１は、履物Ａの踵部Ａａ側上方に開口された開口部Ａｃに対しバネ体２の前端２ｂから挿入される。
【００３６】
バネ体２の後端２ａは、踵部Ａａの後側内壁面に近接して該踵部Ａａ側の上面に接地され、バネ体２の前端２ｂは、履物Ａ内の土踏まず部Ａｂ側の上面に接地される。  
つまり、履物用板バネ１が、バネ体２の平坦に形成された上面中央部が上向きとなるようにして、履物Ａ内の踵部Ａａ上面に取り付けられる。
【００３７】
次に、人の足Ｂを、履物Ａの開口部Ａｃから挿入して、足Ｂの裏の踵部Ｂａを、履物Ａ内の踵部Ａａ上面に取り付けられた履物用板バネ１の上面に載置する。
【００３８】
歩行時において、人の足Ｂに装着された履物Ａの踵部Ａａを地面に接地した際、人の体重が、履物Ａ内の踵部Ａａ上面に取り付けられた履物用板バネ１に付加される。
【００３９】
つまり、人の体重によって、踵部Ａａ上面に取り付けられた履物用板バネ１の中央部が下方に向けて押し下げられ、踵部Ａａ上面に押し付けられる（図３のａ参照）。
【００４０】
このとき、履物用板バネ１は、履物Ａの踵部Ａａを歩行面に接地した際に付加される衝撃を緩和するための緩衝材の役目をするので、履物用板バネ１が復元力に抗して変形されることにより、人の足Ｂの踵部Ｂａに付加される衝撃が緩和されるとともに、足Ｂに与える疲労が軽減される。
【００４１】
また、人の体重が踵側から爪先側へ移動する際に、人の体重によって押し下げられた履物用板バネ１が元の状態に復帰しようとする際の復元力によって、蹴り足側の踵部Ｂａが上方に向けて押し上げられるので、老人や病人等の蹴る力が弱い人及び健康な人の歩行がアシストされる（図３のｂ参照）。
【００４２】
これにより、歩行時における人の体重移動がスムースに行えるとともに、人の足Ｂに付加される負担が軽減されるので、快適な歩行が楽しめる。
【００４３】
また、履物用板バネ１は、履物Ａ内の踵部Ａａ上面に載置しているだけであるので、人の体重に応じて、歩行をアシストするのに適した復元力を有する履物用板バネ１に交換することができる。さらに、履物用板バネ１を、履物Ａ内の踵部Ａａから抜き取れば、通常の履物Ａとして使用することができる。
【００４４】
また、バネ体２の後端２ａを、踵部Ａａの後側内壁面に近接して接地するので、足Ｂの裏の踵部Ｂａが、踵部Ａａの後側内壁面とバネ体２の後端側縁部との間に落ち込むか、挟み込まれるのを防止することができ、快適な履き心地が得られる。
【００４５】
また、図４に示すように、履物Ａ内の踵部Ａａ上面に取り付けられた履物用板バネ１の上に、柔軟性及び緩衝性を有する中敷３を敷設してもよい。
【００４６】
つまり、人の体重が中敷３に付加され、その中敷３が履物用板バネ１の上面に押し付けられるため、踵部Ａａと中敷３との接触抵抗により、履物用板バネ１の取り付け位置が変位するのを防止することができる。
【００４７】
図５は、バネ体２の前端２ｂに支持片２ｃが連設された他の例の履物用板バネ１の取り付け状態を示す履物Ａの縦断側面図、図６は、図５の履物用板バネ１の外観形状を示す斜視図、図７は、図５の履物用板バネ１の変形状態を示す踵側拡大縦断側面図である。
【００４８】
本例の履物用板バネ１は、履物Ａの爪先側と対応するバネ体２の前端２ｂに、履物Ａの爪先側と対応する方向に向けて支持片２ｃが水平に連設されている。  
また、履物Ａ内の土踏まず部Ａｂ側の上面に押し付けられる支持片２ｃの下面側には、図６中のＸ部拡大図に示すように、粘着性及び柔軟性を有する合成ゴムで形成されたシート状の粘着体４が取り付けられている。なお、支持片２ｃの長さｗ４は１０ｍｍ以内の寸法に形成されている。
【００４９】
履物用板バネ１は、前記と同様にして、履物Ａ内の踵部Ａａ上面に取り付けられ、バネ体２の後端２ａは、踵部Ａａの後側内壁面に近接して該踵部Ａａ側の上面に接地される。また、バネ体２の前端２ｂは、履物Ａ内の土踏まず部Ａｂ側の上面に接地される。
【００５０】
バネ体２の前端２ｂに連設された支持片２ｃの粘着体４は、履物Ａ内の踵部Ａａ上面に押し付けられ、その粘着体４の粘着力によって、履物用板バネ１が履物Ａ内の踵部Ａａ上面に粘着固定される（図７のｃ参照）。
【００５１】
履物用板バネ１に人の体重が付加された際に、履物用板バネ１が変形して、人の足Ｂの踵部Ｂａに付加される衝撃が緩和される。  
また、履物用板バネ１の復元力によって、蹴り足側の踵部Ｂａが押し上げられ、人の歩行がアシストされるので、前記実施例と略同等の作用及び効果を奏することができる。
【００５２】
さらに、支持片２ｃが踵部Ａａ上面に対し平面的に押し付けられるので、履物用板バネ１に蓄積される復元力が効率よく発揮されるだけでなく、踵部Ａａの内壁面にキズが付くのを防止することができる。
【００５３】
履物用板バネ１が変形した際に、粘着体４も弾性変形するので、履物用板バネ１の取り付け位置及び粘着体４の粘着位置が変位しにくく、人の歩行がアシストされる取り付け位置を保つことができる（図７のｄ参照）。
【００５４】
一方、粘着体４の粘着力に抗して、バネ体２の支持片２ｃを踵部Ａａ上面から引き剥がすだけで、履物用板バネ１を、履物Ａ内から簡単且つ容易に抜き取ることができ、着脱が楽に行える。  
なお、粘着体４の代わりに、例えば両面粘着テープ、面ファスナー等を用いて取り付けてもよい。
【００５５】
前記粘着体４に代わる他の変位防止手段として、例えば図８中のＹ部拡大図に示すように、踵部Ａａ上面に押し付けられる支持片２ｃの下面側に、側面から見て三角形状の突起５を該支持片２ｃの下面に沿って複数形成してもよい。
【００５６】
つまり、履物用板バネ１に人の体重が付加された際に、バネ体２の支持片２ｃが踵部Ａａ上面に押し付けられ、該支持片２ｃの突起５…が踵部Ａａ上面に対し食い込むことになる。  
これにより、歩行時において、履物用板バネ１の取り付け位置が変位するのを防止することができ、人の歩行がアシストされる取り付け位置を保つことができる。
【００５７】
前記突起５の代わりに、例えば平目、綾目等の凹凸を支持片２ｃの下面側にローレット加工してもよい。  
なお、平目は、バネ体２の長手方向と直交して幅方向に形成するのが好ましい。また、梨地、網目、格子或いは係止爪、係止片等の接触抵抗付与部を支持片２ｃの下面側に形成してもよく、実施例の突起５のみに限定されるものではない。  
また、図８で説明した構成は、図９〜図２０の履物用板バネ１にも適用することができる。
【００５８】
図９の（ｇ）は、足Ｂの裏の踵部Ｂａと対応する凹状の踵載せ部２ｄが、バネ体２の中央部に形成された他の例の履物用板バネ１を示す斜視図、図９の（ｈ）は、足Ｂの裏の踵部Ｂａと対向して凸状の踵載せ部２ｅが、バネ体２の中央部に形成された他の例の履物用板バネ１を示す斜視図である。
【００５９】
図９の（ｇ）に示す履物用板バネ１は、凹状の踵載せ部２ｄが、足Ｂの裏の踵部Ｂａと対応して該踵部Ｂａとフィットする大きさ及び形状に形成され、該踵部Ｂａが安定して載せられる滑らかな曲面形状に形成されている。
【００６０】
つまり、図９の（ｇ）に示す履物用板バネ１が取り付けられた履物Ａ内に人の足Ｂを挿入した際に、足Ｂの裏の踵部Ｂａが、履物Ａ内の踵部Ａａ上面に取り付けられた履物用板バネ１の踵載せ部２ｄに載置される。
【００６１】
これにより、平坦に形成された履物用板バネ１の上に足Ｂの踵部Ｂａを載せるよりも、履物Ａの履き心地が良く、歩行時において違和感を受けることがない。
【００６２】
履物用板バネ１に人の体重が付加された際に、履物用板バネ１が変形して、人の足Ｂの踵部Ｂａに付加される衝撃が緩和される。  
また、履物用板バネ１の復元力によって、蹴り足側の踵部Ｂａが押し上げられ、人の歩行がアシストされるので、前記実施例と略同等の作用及び効果を奏することができる。
【００６３】
図９の（ｈ）に示す履物用板バネ１は、凸状の踵載せ部２ｅが、足Ｂの裏の踵部Ｂａと対向してバネ体２の中央部に形成され、側面から見て山形となるように形成されている。
【００６４】
つまり、図９の（ｈ）に示す履物用板バネ１が取り付けられた履物Ａを装着した際に、足Ｂの裏の踵部Ｂａに、履物Ａ内の踵部Ａａ上面に取り付けられた履物用板バネ１の踵載せ部２ｅが押し付けられる。
【００６５】
履物用板バネ１に人の体重が付加された際に、履物用板バネ１が変形して、人の足Ｂの踵部Ｂａに付加される衝撃が緩和される。且つ、平坦に形成された履物用板バネ１より大きな復元力が、凸状の踵載せ部２ｅを有する履物用板バネ１に蓄積される。
【００６６】
また、履物用板バネ１の変形量が大きく、蓄積された大きな復元力によって、蹴り足側の踵部Ｂａが勢いよく押し上げられ、人の歩行が積極的にアシストされるので、前記実施例と略同等或いは同等以上の作用及び効果を奏することができる。  
なお、踵載せ部２ｅを、例えば足Ｂの裏の踵部Ｂａと対向する方向に向けて突出する滑らかな弧形状、半円形状等に形成してもよい。
【００６７】
また、図９で説明した構成は、図１〜図８及び図１０〜図２０の履物用板バネ１にも適用することができる。
【００６８】
図１０の（ｉ）は、平面から見て丸形状の孔部６が、バネ体２の中央平面部に複数形成された他の例の履物用板バネ１を示す斜視図、図１０の（ｊ）は、前記孔部６より小径の孔部７が、バネ体２の中央平面部に対し幅方向に３列配置された履物用板バネ１を示す斜視図、図１０の（ｋ）は、平面から見て楕円形状の孔部８が、バネ体２の中央平面部に対し長手方向と平行して４個配列された履物用板バネ１示す斜視図である。
【００６９】
図１０の（ｉ）に示す履物用板バネ１は、孔部６が、バネ体２の中央平面部に対し厚み方向に貫通して形成されており、該中央平面部に対し長手方向に所定間隔に隔てて３個配列されている。
【００７０】
つまり、図１０の（ｉ）に示す履物用板バネ１が人の体重によって変形される際に、バネ体２の孔部６を通して、履物用板バネ１の中央平面部と履物Ａ内の踵部Ａａ上面との間に存在する空気或いは雰囲気が効率よく通気される。
【００７１】
履物用板バネ１に人の体重が付加された際に、履物用板バネ１が変形して、人の足Ｂの踵部Ｂａに付加される衝撃が緩和される。
【００７２】
また、履物用板バネ１の復元力によって、蹴り足側の踵部Ｂａが押し上げられ、人の歩行がアシストされるので、前記実施例と略同等の作用及び効果を奏することができる。
【００７３】
また、バネ体２の孔部６を通して、履物Ａ内の汗、湿気等の水分が効率よく通気されるので、雑菌や異臭等が発生するのを防止することができる。
【００７４】
足Ｂの裏と履物用板バネ１との接触面積が少なく、足Ｂの裏に履物用板バネ１が貼り付きにくく、快適な歩行が楽しめる。また、履物Ａを脱ぐ際に、履物用板バネ１が、足Ｂと一緒に履物Ａの外へ飛び出すのを防止することができる。
【００７５】
孔部６を大きくするか、孔部６の孔数を増やせば、履物用板バネ１全体の重量を軽くすることができ、軽量化が図れる。
【００７６】
履物用板バネ１を構成する鋼材の使用量が少なくなるので、材料費が安くなり、安価に製造及び販売することができる。
【００７７】
履物用板バネ１の軽量化によって、人の足Ｂに付加される重量感が軽減され、疲労がたまりにくくなる。
【００７８】
図１０の（ｊ）に示す履物用板バネ１は、前記孔部６より小径に形成された丸形状の孔部７が、バネ体２の中央平面部に対し幅方向に３列配置されている。また、図１０の（ｋ）に示す履物用板バネ１は、平面から見て楕円形状の孔部８が、バネ体２の中央平面部に対し長手方向と平行して４個配列されている。
【００７９】
つまり、図１０の（ｊ）、（ｋ）に示す履物用板バネ１に人の体重が付加された際に、履物用板バネ１が変形して、人の足Ｂの踵部Ｂａに付加される衝撃が緩和される。
【００８０】
また、履物用板バネ１の復元力によって、蹴り足側の踵部Ｂａが押し上げられ、人の歩行がアシストされるので、前記実施例と略同等の作用及び効果を奏することができる。
【００８１】
なお、孔部６，７，８を、例えば菱形、星形、ハート形、花形、雲形、卵形、或いは、正方形、矩形、三角形、五角形、六角形、或いは、弧線形、波線形、直線形等の形状に変更してもよく、実施例の丸形状や楕円形状のみに限定されるものではない。  
また、図１０で説明した構成は、図１〜図９及び図１１〜図２０の履物用板バネ１にも適用することができる。
【００８２】
図１１の（ｍ）は、側面から見て波形状のバネ部９が、バネ体２の中央部に形成された他の例の履物用板バネ１を示す斜視図、図１１の（ｎ）は、側面から見てＳ字状のバネ部１０が、バネ体２の両端部に形成された履物用板バネ１を示す斜視図である。
【００８３】
図１１の（ｍ）に示す履物用板バネ１は、上方に湾曲された滑らかな曲線を有する上向き湾曲部９ａと、下方に湾曲された滑らかな曲線を有する下向き湾曲部９ｂとからなる波形状のバネ部９が、バネ体２の中央部に対し幅方向に平行して形成されるとともに、該バネ体２の中央部に対し長手方向に４列配置されている。
【００８４】
つまり、図１１の（ｍ）に示す履物用板バネ１に人の体重が付加された際に、バネ体２及びバネ部９が変形し、人の足Ｂの踵部Ｂａに付加される衝撃が緩和される。
【００８５】
また、バネ体２及びバネ部９の復元力によって、蹴り足側の踵部Ｂａが押し上げられ、人の歩行がアシストされるので、前記実施例と略同等の作用及び効果を奏することができる。
【００８６】
また、バネ体２の平坦な部分は一挙に復元しようとするが、波形状のバネ部９は緩やかに復元するので、蹴り足側の踵部Ｂａに対しソフトな押し上げ感覚が付与される。なお、波形状のバネ部９は、例えば１列、２列、３列、或いは、４列以上配置してもよい。
【００８７】
図１１の（ｎ）に示す履物用板バネ１は、側面から見てＳ字状のバネ部１０が、バネ体２の両端部に対し前後対称となるように形成されている。  
つまり、図１１の（ｎ）に示す履物用板バネ１に人の体重が付加された際に、バネ体２及びバネ部１０が変形し、人の足Ｂの踵部Ｂａに付加される衝撃が緩和される。
【００８８】
また、バネ体２及びバネ部１０の復元力によって、蹴り足側の踵部Ｂａが押し上げられ、人の歩行がアシストされるので、前記実施例と略同等の作用及び効果を奏することができる。  
また、バネ体２の平坦な部分は一挙に復元しようとするが、Ｓ字状のバネ部１０は緩やかに復元するので、蹴り足側の踵部Ｂａに対しソフトな押し上げ感覚が付与される。  
なお、図１１で説明した構成は、図１〜図１０及び図１２〜図２０の履物用板バネ１にも適用することができる。
【００８９】
図１２の（ｏ）は、コイルバネ１１が、バネ体２の下面中央部に取り付けられた他の例の履物用板バネ１を示す踵側拡大縦断側面図、図１２の（ｐ）は、ゴム部材１２が、バネ体２の下面中央部に取り付けられた履物用板バネ１を示す踵側拡大縦断側面図である。
【００９０】
図１２の（ｏ）、（ｐ）に示す履物用板バネ１に人の体重が付加された際に、履物用板バネ１の変形によって、コイルバネ１１或いはゴム部材１２が圧縮されるので、履物用板バネ１のみで緩衝するよりも、人の足Ｂの踵部Ｂａに付加される大きな衝撃が緩和される。
【００９１】
また、履物用板バネ１の復元力と、コイルバネ１１或いはゴム部材１２の復元力とによって、蹴り足側の踵部Ｂａが勢いよく押し上げられ、人の歩行が積極的にアシストされるので、前記実施例と略同等又は同等以上の作用及び効果を奏することができる。  
なお、図１２で説明した構成は、図１〜図１１及び図１３〜図２０の履物用板バネ１にも適用することができる。
【００９２】
図１３は、バネ体２が、側面から見て踵側から爪先側に向けて徐々に低くなる斜面又は曲面に形状に形成された他の例の履物用板バネ１を示す斜視図である。
【００９３】
つまり、履物用板バネ１が、履物Ａの踵側から爪先側に向けて低くなるように形成されているので、該履物用板バネ１が取り付けられた履物Ａ内に対し人の足Ｂを挿入するとき、履物用板バネ１によって足Ｂの挿入が妨げられるようなことがない。
【００９４】
これにより、履物Ａ内に対する足Ｂの挿入及び抜き取りがスムースに行える。また、バネ体２を、踵側から爪先側に向けて低くなるような滑らかな曲面形状に形成してもよい。  
なお、図１３で説明した構成は、図１〜図１２及び図１４〜図２０の履物用板バネ１にも適用することができる。
【００９５】
図１４は、履物Ａの踵部Ａａ側と対応するバネ体２の後端２ａが、該踵部Ａａの後側内壁面に沿う曲面形状に形成された他の例の履物用板バネ１を示す斜視図である。
【００９６】
本例の履物用板バネ１は、バネ体２の後端２ａを、踵部Ａａの後側内壁面に近接且つ沿って接地するので、踵部Ａａの後側内壁面とバネ体２の後端側縁部との間に形成される隙間が狭く、履物用板バネ１が取り付けられた履物Ａを装着した際に、足Ｂの裏の踵部Ｂａが、バネ体２の後端側に落ち込むか、挟み込まれるのを防止することができる。
【００９７】
なお、図１４で説明した構成は、図１〜図１３及び図１５〜図２０の履物用板バネ１にも適用することができる。
【００９８】
図１５は、バネ体２の後端２ａ及び前端２ｂに支持片２ｃが連設された他の例の履物用板バネ１の取り付け状態を示す履物Ａの縦断側面図、図１６は、図１５の履物用板バネ１の外観形状を示す斜視図、図１７は、図１５の履物用板バネ１の変形状態を示す踵側拡大縦断側面図である。
【００９９】
本例の履物用板バネ１は、履物Ａの踵部Ａａ側と対応するバネ体２の後端２ａに、該踵部Ａａ側と対応する方向に向けて支持片２ｃが水平に連設されている。また、履物Ａの爪先側と対応するバネ体２の前端２ｂに、該爪先側と対応する方向に向けて支持片２ｃが水平に連設されている。また、履物Ａ内の踵部Ａａ側の上面に押し付けられる支持片２ｃと、土踏まず部Ａｂ側の上面に押し付けられる支持片２ｃの下面側には、粘着体４が取り付けられている。
【０１００】
履物用板バネ１は、前記実施例と同様に、履物Ａの踵部Ａａ側上方に開口された開口部Ａｃから挿入され、バネ体２の支持片２ｃ，２ｃに取り付けられた粘着体４，４の粘着力によって履物Ａ内の踵部Ａａ上面に粘着固定される（図１７のｑ参照）。
【０１０１】
つまり、一方の支持片２ｃに取り付けられた粘着体４で粘着固定するよりも大きな固定力が得られ、履物用板バネ１を、履物Ａ内の踵部Ａａ上面に対し確実且つ強固に固定することができる（図１７のｒ参照）。  
なお、前記粘着体４の代わりに、前記突起５を、バネ体２の支持片２ｃ，２ｃに設けてもよい。
【０１０２】
図１８の（ｓ）は、バネ体２の後端２ａに短尺の支持片２ｃが連設された他の例の履物用板バネ１を示す斜視図、図１８の（ｔ）は、前後の支持片２ｃ，２ｃが内側に折り返された他の例の履物用板バネ１を示す斜視図、図１８の（ｕ）は、前後の支持片２ｃ，２ｃが外側及び内側に折り曲げられた他の例の履物用板バネ１を示す斜視図である。
【０１０３】
図１８の（ｓ）は、バネ体２の後端２ａに連設された支持片２ｃの長さｗ５が５ｍｍ以内の寸法に形成され、前端２ｂに連設された支持片２ｃの長さｗ４が１０ｍｍ以内の寸法に形成されている。つまり、後端２ａに連設された短い方の支持片２ｃを、踵部Ａａの後側内壁面に近接して接地することができる。
【０１０４】
図１８の（ｔ）は、バネ体２に連設された前後の支持片２ｃ，２ｃが内側に向けて長さｗ４の寸法に折り返されている。つまり、支持片２ｃが前後に突出していないので、バネ体２の後端２ａを、踵部Ａａの後側内壁面に近接して接地することができる。
【０１０５】
図１８の（ｕ）は、バネ体２に連設された前後の支持片２ｃ，２ｃが外側前後方向に向けて長さｗ５の寸法に突出された後、内側に向けて長さｗ４の寸法に折り返されている。つまり、バネ体２に連設されたいずれか一方の支持片２ｃを、踵部Ａａの後側内壁面に近接して接地することができる。
【０１０６】
図１９の（ｖ）は、バネ体２の後端２ａ及び前端２ｂが内側に折り曲げられ、後端２ａ及び前端２ｂに連結された支持片２ｃ，２ｃが外側に折り曲げられた他の例の履物用板バネ１を示す斜視図、図１９の（ｗ）は、前側の支持片２ｃが前方に折り曲げられ、後側の支持片２ｃが内側に折り曲げられた他の例の履物用板バネ１を示す斜視図である。
【０１０７】
図１９の（ｖ）は、バネ体２の後端２ａ及び前端２ｂが内側斜め下方に向けて折り曲げられ、後端２ａ及び前端２ｂに連結された支持片２ｃ，２ｃが外側前後方向に向けて長さｗ５の寸法だけ突出するように折り曲げられている。つまり、履物Ａ内の踵部Ａａ上面に対する支持片２ｃの接地面積が広く、接地時の安定性が向上する。
【０１０８】
図１９の（ｗ）は、バネ体２の前端２ｂに連結された支持片２ｃが前方に向けて長さｗ４だけ突出するように折り曲げられ、後端２ａに連結された支持片２ｃが内側に向けて長さｗ４の寸法だけ折り曲げられている。
【０１０９】
つまり、支持片２ｃが後側に突出していないので、バネ体２の後端２ａを、踵部Ａａの後側内壁面に近接して接地することができる。また、支持片２ｃの接地面積が広く、接地時の安定性が向上する。
【０１１０】
図２０は、バネ体２の上面全体が短繊維からなる起毛１３で覆われた他の例の履物用板バネ１を示す斜視図である。  
短繊維からなる起毛１３は、静電気塗装と同じ原理である静電気植毛加工によってバネ体２の上面全体に対し均一に植毛されている。すなわち、高圧静電界における静電吸引力を利用し、予め接着剤が塗布された基材であるバネ体２の上面に対し化学繊維製の短繊維からなる起毛１３が垂直且つ均一に植毛されている。
【０１１１】
つまり、図２０の履物用板バネ１が取り付けられた履物Ａ内に人の足Ｂを挿入した際に、足Ｂの裏の踵部Ｂａが、履物Ａ内の踵部Ａａ上面に取り付けられたバネ体２の起毛１３で覆われた上面に載置される。
【０１１２】
これにより、金属製の履物用板バネ１に足Ｂの裏を載置しているような冷たい感覚がなく、良好な履き心地が得られる。
【０１１３】
さらに、人の体重によって、履物用板バネ１が復元力に抗して変形されることにより、人の足Ｂの踵部Ｂａに付加される衝撃が緩和される。  
また、履物用板バネ１の復元力によって、蹴り足側の踵部Ｂａが押し上げられ、人の歩行がアシストされるので、前記実施例と略同等の作用及び効果を奏することができる。
【０１１４】
なお、起毛１３の代わりに、例えばプラスチック、不織布、布地、皮革等をバネ体２の外面に被覆してもよい。また、バネ体２の外面に、例えば塗料を塗布するか、金属を鍍金或いは蒸着するか、金属箔を貼り付ける等してもよい。  
前記起毛１３或いは他の部材が覆われる構成は、図１〜図２０の履物用板バネ１にも適用することができる。
【０１１５】
図２１は、バネ体２の周縁部２ｆが外側斜め下方に向けて折り曲げられた他の例の履物用板バネ１の外観形状を示す斜視図、図２２は、図２１の履物用板バネ１の外観形状を示す平面図、図２３は、図２２の履物用板バネ１のＡ−Ａ線矢視断面図（Ｘ）及びＢ−Ｂ線矢視断面図（Ｙ）である。
【０１１６】
本例の履物用板バネ１は、バネ体２が、履物Ａの踵部Ａａの内壁面に沿う曲面形状であって、平面から見て略楕円形状に形成されている。  
バネ体２の周縁部２ｆは、内側中央部から外側斜め下方に向けて斜めに折り曲げられている。また、周縁部２ｆは、該バネ体２の上面側から下面側に向けて徐々に広くなるように形成されている。
【０１１７】
周縁部２ｆには、略矩形状の溝部２ｇが周縁部２ｆの斜面に沿ってバネ体２の上面側から下面側に向けて形成されている。また、溝部２ｇは、周縁部２ｆに沿って周方向に対し略等間隔に隔てて複数配列されている。
【０１１８】
周縁部２ｆの全長は、溝部２ｇ…によって複数の縁部２ｆ１に分割されており、縁部２ｆ１…に蓄積される復元力が独立して効率よく発揮される。また、縁部２ｆ１の端部には、支持片２ｆ２が水平に連設されている。
【０１１９】
つまり、図２１の履物用板バネ１が収容された履物Ａを装着して歩行すれば、履物Ａの踵部Ｂａに収容された履物用板バネ１に対し人の体重が付加された際に、バネ体２の周縁部２ｆに形成された縁部２ｆ１…が独立して変形するので、人の足Ｂの踵部Ｂａに付加される衝撃が緩和される。
【０１２０】
また、周縁部２ｆの縁部２ｆ１…に蓄積された復元力によって、蹴り足側の踵部Ｂａが上方へ押し上げられるので、前記実施例のようにバネ体２の後端２ａ及び前端２ｂに蓄積された復元力を利用するよりも、復元力が安定して得られる。
【０１２１】
さらに、履物用板バネ１は、履物Ａの踵部Ａａの内壁面に沿った形状に形成されているので、取り付け位置が変位するか、履物Ａの内壁面にキズが付くのを防止することができる。  
なお、前記図８〜図１４の構成は、図２１〜図２３の履物用板バネ１にも適用することができる。
【０１２２】
この発明の構成と、前記実施形態との対応において、
この発明の接触抵抗付与部は、粘着体４、突起５等に対応し、
以下同様に、
被覆部材は、起毛１３等に対応するも、
この発明は、上述の実施形態の構成のみに限定されるものではなく、請求項に示される技術思想に基づいて応用することができ、多くの実施の形態を得ることができる。
【０１２３】
前記履物用板バネ１を履物Ａの踵部Ａａ上面に固定するならば、図１に示す靴型の履物Ａ以外に、例えば草履、サンダル、スリッパ等の踵側が開放された履物に取り付けることができる。
【符号の説明】
【０１２４】
Ａ…履物
Ａａ…踵部
Ａｂ…土踏まず部
Ａｃ…開口部
Ｂ…足
Ｂａ…踵部
１…履物用板バネ
２…バネ体
２ａ…後端
２ｂ…前端
２ｃ…支持片
２ｄ，２ｅ…踵載せ部
２ｆ…周縁部
２ｆ１…縁部
２ｆ２…支持片
２ｇ…溝部
３…中敷
４…粘着体
５…突起
６，７，８…孔部
９，１０…バネ部
１１…コイルバネ
１２…ゴム部材
１３…起毛
【図１】
2011036394.tif 000003
【図２】
2011036394.tif 000004
【図３】
2011036394.tif 000005
【図４】
2011036394.tif 000006
【図５】
2011036394.tif 000007
【図６】
2011036394.tif 000008
【図７】
2011036394.tif 000009
【図８】
2011036394.tif 000010
【図９】
2011036394.tif 000011
【図１０】
2011036394.tif 000012
【図１１】
2011036394.tif 000013
【図１２】
2011036394.tif 000014
【図１３】
2011036394.tif 000015
【図１４】
2011036394.tif 000016
【図１５】
2011036394.tif 000017
【図１６】
2011036394.tif 000018
【図１７】
2011036394.tif 000019
【図１８】
2011036394.tif 000020
【図１９】
2011036394.tif 000021
【図２０】
2011036394.tif 000022
【図２１】
2011036394.tif 000023
【図２２】
2011036394.tif 000024
【図２３】
2011036394.tif 000025